(57)【要約】【課題】画像読取装置において、レジスト機構によっても斜行（スキュー）を補正し切れなかった読取原稿が紙詰まりを起こしたり、原稿が損傷したりするのを防止する。【解決手段】コピーファクシミリ複合機１０１は、原稿トレイ１１の読取原稿を原稿搬送経路１３に沿って原稿読取位置Ｐ１，Ｐ２へ搬送し、その内容を読み取られた読取原稿を排紙トレイ１２に排出するオートドキュメントフィーダ１０７を備える。そして、前記原稿搬送経路１３には、この原稿搬送経路１３内で搬送される読取原稿のスキューを補正するレジストローラ５１と、このレジストローラ５１を通過した読取原稿のスキュー量を検出するスキューセンサ５５と、このスキューセンサ５５で検出したスキュー量が所定の値以上である読取原稿を搬送するための第２原稿搬送経路５９と、この第２原稿搬送経路５９を通過した読取原稿を排出するシュート部７５と、を備える。【選択図】図１
2008131077.tif 000002
【特許請求の範囲】
【請求項１】
原稿供給部の読取原稿を原稿搬送経路に沿って原稿読取位置へ搬送し、その内容を読み取られた読取原稿を原稿排出部に排出する自動原稿送り装置を備える画像読取装置において、
前記原稿搬送経路には、
当該原稿搬送経路を搬送される読取原稿のスキューを補正するレジスト機構と、
前記レジスト機構を通過した読取原稿のスキュー量を検出するスキューセンサと、
このスキューセンサで検出したスキュー量が所定の値より大きい読取原稿を搬送するための第２原稿搬送経路と、
この第２原稿搬送経路を通過した読取原稿を排出する第２排出部と、
を備えることを特徴とする画像読取装置。
【請求項２】
請求項１に記載の画像読取装置であって、
前記第２原稿搬送経路は、前記原稿読取位置よりも原稿搬送方向上流側の位置で前記原稿搬送経路から分岐するように構成されていることを特徴とする画像読取装置。
【請求項３】
請求項１又は２に記載の画像読取装置であって、
前記第２排出部は上方を開放させた形状に構成され、スキュー量が所定の値より大きい読取原稿はこの第２排出部に上側から投入されて縦向きに保管されることを特徴とする画像読取装置。
【請求項４】
請求項３に記載の画像読取装置であって、
前記第２排出部は、前記原稿供給部にセットされた読取原稿の先頭位置よりも下方に配置されていることを特徴とする画像読取装置。
【請求項５】
請求項１から４までの何れか一項に記載の画像読取装置であって、
前記スキューセンサで検出したスキュー量が所定の値より大きいときは、前記読取原稿を前記レジスト機構より上流の位置まで逆搬送した後、読取原稿を順方向に搬送して前記レジスト機構により読取原稿のスキューを再補正し、
スキューを再補正した後の読取原稿のスキュー量を前記スキューセンサで検出し、検出されたスキュー量が所定の値より大きいときは、当該読取原稿を前記第２原稿搬送経路に沿って前記第２排出部へ排出することを特徴とする画像読取装置。
【請求項６】
請求項１から５までの何れか一項に記載の画像読取装置であって、
前記スキューセンサで検出したスキュー量がゼロより大きくかつ所定の値以下であるときは、当該読取原稿を画像読取部で読み取り、その読取画像を回転させる画像処理を行うことを特徴とする画像読取装置。
【請求項７】
請求項１から６までの何れか一項に記載の画像読取装置としてのファクシミリ装置。
【発明の詳細な説明】
【技術分野】
【０００１】
本発明は、画像読取装置及びファクシミリ装置の構成に関する。詳細には、自動原稿送り装置を備える画像読取装置において、読取原稿のスキューを防止するとともに再読取を簡便にするための構成に関する。
【背景技術】
【０００２】
特許文献１は、原稿搬送路にスキューセンサを設け、このスキューセンサによる検知結果をメッセージパネルに表示する自動原稿送り装置及び画像形成装置を開示する。特許文献１は、この構成により、オペレータは原稿のスキューを直ちに認識でき、これに続くコピー操作の中止により不適正なコピー作成を未然に防止し、画質向上及び用紙の節約を図ることができるとする。
【特許文献１】特開平５−２１６３０８号公報
【発明の開示】
【発明が解決しようとする課題】
【０００３】
しかし、上記特許文献１に示す構成では、オペレータがコピーを行っている間、装置の前で待機してメッセージパネルを常に確認し、スキュー検知の旨がパネルに表示されたときに素早くコピー操作を中止できるようにしておく必要があった。また、中止操作が間に合わなかった場合、読取原稿がスキューした状態で搬送路を通過することになるので、原稿詰まりや原稿の損傷を招く場合があった。また、コピー中止が間に合わなかった場合、正常に読み取られた原稿と再読取が必要なスキュー原稿とを区別する作業が煩雑であり、再読取作業に多大な時間を要していた。
【０００４】
本発明は以上の事情に鑑みてされたものであり、その目的は、スキュー搬送された読取原稿が紙詰まりを起こしたり、原稿が損傷したりするのを防止するとともに、再読取が必要な原稿を素早く把握可能な自動原稿送り装置を備える画像読取装置を提供することにある。
【課題を解決するための手段及び効果】
【０００５】
本発明の解決しようとする課題は以上の如くであり、次にこの課題を解決するための手段とその効果を説明する。
【０００６】
本発明の観点によれば、以下の構成の画像読取装置が提供される。即ち、原稿供給部の読取原稿を原稿搬送経路に沿って原稿読取位置へ搬送し、その内容を読み取られた読取原稿を原稿排出部に排出する自動原稿送り装置を備える。前記原稿搬送経路には、当該原稿搬送経路を搬送される読取原稿のスキューを補正するレジスト機構と、前記レジスト機構を通過した読取原稿のスキュー量を検出するスキューセンサと、このスキューセンサで検出したスキュー量が所定の値より大きい読取原稿を搬送するための第２原稿搬送経路と、この第２原稿搬送経路を通過した読取原稿を排出する第２排出部と、を備える。
【０００７】
この構成により、読取原稿の斜行（スキュー）を適切に補正して、原稿内容の読取を正確に行わせるとともに、原稿詰まりや読取原稿の損傷を防止することができる。また、スキュー量が一定値より大きい読取原稿（スキュー原稿）は、原稿排出部とは別の第２排出部へ排出されるので、第２排出部を確認するだけでスキュー原稿をユーザが確実に把握でき、スキュー原稿のみの再読取を極めて簡単に行うことができる。
【０００８】
前記の画像読取装置においては、前記第２原稿搬送経路は、前記原稿読取位置よりも原稿搬送方向上流側の位置で前記原稿搬送経路から分岐するように構成されていることが好ましい。
【０００９】
この構成により、スキュー原稿を、（原稿詰まりが発生し易い）原稿読取位置を通過させずに第２排出部へ排出することができる。従って、原稿詰まりや読取原稿の損傷を一層良好に防止することができる。
【００１０】
前記の画像読取装置においては、前記第２排出部は上方を開放させた形状に構成され、スキュー量が所定の値より大きい読取原稿はこの第２排出部に上側から投入されて縦向きに保管されることが好ましい。
【００１１】
この構成により、簡素でコンパクトな第２排出部の構成を実現できる。
【００１２】
前記の画像読取装置においては、前記第２排出部は、前記原稿供給部にセットされた読取原稿の先頭位置よりも下方に配置されていることが好ましい。
【００１３】
この構成により、第２排出部も含めてコンパクトな画像読取装置の構成を実現できる。
【００１４】
前記の画像読取装置においては、以下のように構成することが好ましい。即ち、前記スキューセンサで検出したスキュー量が所定の値より大きいときは、前記読取原稿を前記レジスト機構より上流の位置まで逆搬送した後、読取原稿を順方向に搬送して前記レジスト機構により読取原稿のスキューを再補正する。スキューを再補正した後の読取原稿のスキュー量を前記スキューセンサで検出し、検出されたスキュー量が所定の値より大きいときは、当該読取原稿を前記第２原稿搬送経路に沿って前記第２排出部へ排出する。
【００１５】
この構成により、必要に応じて読取原稿を逆搬送し、複数回のレジスト動作を行わせることができる。従って、スキューの補正可能範囲を拡大できるので、原稿の再読取の手間を軽減でき、利便性を向上させることができる。
【００１６】
前記の画像読取装置においては、前記スキューセンサで検出したスキュー量がゼロより大きくかつ所定の値以下であるときは、当該読取原稿を画像読取部で読み取り、その読取画像を回転させる画像処理を行うことが好ましい。
【００１７】
この構成により、レジスト動作によるスキュー補正及びソフトウェア処理によるスキュー補正の両方が行われるので、原稿内容を一層正確に読み取ることができる。
【００１８】
また、本発明の他の観点によれば、前記の画像読取装置としてのファクシミリ装置が提供される。
【発明を実施するための最良の形態】
【００１９】
次に、発明の実施の形態を説明する。図１は本発明の一実施形態に係るコピーファクシミリ複合機の画像読取部分の構成を示した正面断面図である。
【００２０】
図１に示すように、画像読取装置及びファクシミリ装置としてのコピーファクシミリ複合機１０１は、読取原稿を載置するプラテンガラスが配設された原稿台１０２と、この読取原稿を前記プラテンガラス上に押圧して固定する原稿台カバー１０３と、原稿の読取開始等を指示するための図略の操作パネルと、を備えている。
【００２１】
前記原稿台１０２の下方には装置本体部（図略）が配置されており、この装置本体部は、記録媒体としての用紙に画像を記録する図略の画像記録部や、通信回線を介して画像データを伝送するための図略の送受信部等を内蔵している。
【００２２】
前記原稿台カバー１０３には、オートドキュメントフィーダ（自動原稿送り装置）１０７が配設されている。このオートドキュメントフィーダ１０７は、原稿台カバー１０３の上部に設けられた原稿トレイ（原稿供給部）１１と、この原稿トレイの下方に設けられた排紙トレイ（原稿排出部）１２と、を備える。
【００２３】
図１に示すように、前記原稿台カバー１０３の内部には、原稿トレイ１１と排紙トレイ１２とを繋ぐ湾曲状の原稿搬送経路１３が構成されている。そして、この前記原稿搬送経路１３の途中部に原稿読取位置Ｐ１，Ｐ２が設定されている。この構成で、原稿トレイ１１に重ねてセットされた読取原稿は、１枚ずつ分離されて湾曲状の前記原稿搬送経路１３に沿って搬送され、原稿読取位置Ｐ１，Ｐ２を通過した後、排紙トレイ１２へ排出される。
【００２４】
図１に示すように、前記原稿台１０２の内部にはスキャナユニット（原稿読取部）２１が備えられる。このスキャナユニット２１は、前記原稿読取位置Ｐ１に対して光を照射する光源２２と、読取原稿からの反射光を反射させる反射ミラー２３，２４，２５と、反射光を収束させる集光レンズ２６と、この収束光を電気信号に変換して出力する電荷結合素子（ＣＣＤ）２７と、を備えている。
【００２５】
この構成で、原稿搬送経路１３を搬送される読取原稿は原稿読取位置Ｐ１において走査され、この読取原稿からの反射光はＣＣＤ２７へ導かれて結像する。この結果、ＣＣＤ２７は読取内容に応じた電気信号を出力することができる。この信号及び後述の密着型イメージセンサ６７の信号は、適宜の変換処理後に前記画像記録部に送られて印刷されたり、前記送受信部によって他のファクシミリ装置へ通信回線を介して送信されたりする。
【００２６】
次に、前記原稿搬送経路１３の詳細な構成を説明する。図１に示すように、原稿トレイ１１から原稿搬送経路１３に原稿が供給される箇所では、分離ローラ３１及びピックアップローラ３２が備えられている。分離ローラ３１の軸心まわりに揺動自在に揺動アーム３３が取り付けられ、この揺動アーム３３の先端側にピックアップローラ３２が支持されている。
【００２７】
前記分離ローラ３１と対向する位置に分離パッド３４が設置されて、この分離パッド３４はスプリングによって前記分離ローラ３１の周面に押し付けられている。これにより、読取原稿を分離ローラ３１と分離パッド３４との間でニップした状態で分離ローラ３１を駆動することで、読取原稿を１枚ずつ分離することができる。
【００２８】
前記分離ローラ３１の下流には、レジスト機構を構成するレジストローラ５１が設けられる。このレジストローラ５１は、分離ローラ３１によって搬送された読取原稿の先頭側がレジストローラ５１の周面に接当した状態で回転を所定時間停止して、レジストローラ５１の駆動を行わせるように制御される。この一連の動作により、読取原稿が多少斜行して原稿搬送経路１３へ供給されたとしても、当該斜行が修正（整合）された状態で原稿読取位置Ｐ１，Ｐ２へ送られることになる。
【００２９】
レジストローラ５１のすぐ下流側には、読取原稿の斜行（スキュー）の程度を検知するスキューセンサ５５が設置される。このスキューセンサ５５は、原稿幅方向に所定の間隔をおいて配置された２つのセンサから構成されており、２つのセンサが読取原稿の先頭を検知するタイミングの時間差に基づいて、前記レジストローラ５１で補正し切れなかった斜行の量を検出することができる。
【００３０】
スキューセンサ５５の下流側には搬送ローラ６１が設けられるとともに、更にそのすぐ下流側において、原稿搬送経路１３に分岐部５７が形成されている。この分岐部５７は、スキューセンサ５５よりも下流側かつ原稿読取位置Ｐ１，Ｐ２よりも上流側に配置されており、原稿搬送経路１３が下方への湾曲を開始する部分の近傍に形成されている。前記分岐部５７には第２原稿搬送経路５９が接続されており、この第２原稿搬送経路５９は前記分岐部５７から下方へ湾曲するように延びて、その端部にスキュー原稿排出口６０を形成している。
【００３１】
前記原稿台１０２の側部にはシュート部（第２排出部）７５が設置される。このシュート部７５は上方を開放させた箱状に形成されており、その開放部が前記スキュー原稿排出口６０に対面している。従って、スキュー原稿排出口６０から排出された読取原稿は、シュート部７５へ上方から投入される。また、シュート部７５は縦方向に細長い箱状に形成されているので、投入された読取原稿はシュート部７５内で縦向きに保管される。更に、シュート部７５は原稿台１０２の脇に設置されており、この設置高さは、原稿トレイ１１上に載置された読取原稿の先頭位置よりも下方となるように配置されている。
【００３２】
そして、前記分岐部５７の位置には経路案内具５８が揺動自在に支持され、この経路案内具５８には図略のソレノイドが連結されて、経路案内具５８の姿勢を変更可能に構成されている。この構成により、搬送ローラ６１等により搬送されてきた読取原稿を、原稿読取位置Ｐ１，Ｐ２に向けて搬送するか、第２原稿搬送経路５９を経由してシュート部７５へ排出するかを切り換えることができる。
【００３３】
原稿搬送経路１３において、前記分岐部５７よりも下流側には搬送ローラ６２，６３が設けられる。従って、搬送ローラ６１の駆動によって下流側に搬送された読取原稿は、搬送ローラ６２にニップされて更に搬送され、原稿読取位置Ｐ１を通過する。このとき、読取原稿の情報は、前記スキャナユニット２１によって読み取られる。
【００３４】
読取原稿は更に搬送ローラ６３の駆動によって搬送され、原稿読取位置Ｐ２を通過する。この原稿読取位置Ｐ２には密着型イメージセンサ６７が備えられており、この密着型イメージセンサ６７とプラテンローラ６４との間で読取原稿をニップしながら、当該読取原稿の裏面側の内容を走査できるようになっている。２つの原稿読取位置Ｐ１，Ｐ２で表裏両面の内容を読み取られた読取原稿は、排紙ローラ７０によって搬送され、排紙トレイ１２上に排出される。
【００３５】
次に、前記オートドキュメントフィーダ１０７の制御のための電気的構成について、図２を参照して説明する。この図２に示すように、オートドキュメントフィーダ１０７は、各部の制御のための制御部６８を備える。この制御部６８は公知のマイクロコンピュータとして構成されており、図示しないＣＰＵ、ＲＯＭ、ＲＡＭ等を備えている。前記スキャナユニット２１及び密着型イメージセンサ６７は制御部６８に接続されており、これによって原稿の読取が制御される。
【００３６】
前記スキューセンサ５５は制御部６８に接続されて、読取原稿のスキュー量の検出値を制御部６８に送信できるように構成されている。また制御部６８は、分離ローラ３１、レジストローラ５１、搬送ローラ６１，６２，６３等を駆動する駆動モータ７１に対し接続されて、各ローラの駆動／駆動停止を制御できるように構成されている。更には、前記経路案内具５８を切り換えるためのソレノイド７２が制御部６８に接続され、ソレノイド７２の通電／通電解除を制御できるように構成されている。
【００３７】
次に、オートドキュメントフィーダ１０７の読取制御について、図３を参照して説明する。この図３に図示された制御は、オートドキュメントフィーダ１０７の原稿トレイ１１に読取原稿がセットされ、ファクシミリ操作やコピー操作が行われると開始される。読取制御がスタートすると、最初に駆動モータ７１を制御して、原稿トレイ１１上の読取原稿をピックアップローラ３２により繰り込み、分離ローラ３１で１枚ずつ分離して原稿搬送経路１３に供給する（Ｓ１０１）。次に、レジストローラ５１によるレジスト動作を行い、読取原稿の斜行を補正する（Ｓ１０２）。
【００３８】
次に、スキューセンサ５５によりスキュー量を検出する（Ｓ１０３）。そして、このスキュー量と所定値とを比較し（Ｓ１０４）、所定値を上回っていた場合は、Ｓ１０５でソレノイド７２を制御し、経路案内具５８を切り換えて、第２原稿搬送経路５９に沿って読取原稿を搬送してシュート部７５へ排出させる。これにより、レジストローラ５１でも斜行を補正し切れなかった読取原稿を（原稿読取位置Ｐ１，Ｐ２の通過前に）排出できるので、原稿の紙詰まりや損傷を防止することができる。
【００３９】
一方、スキュー量が所定値以下の場合は、原稿搬送経路１３に沿って読取原稿を搬送し、原稿読取位置Ｐ１，Ｐ２を通過させ、スキャナユニット２１及び密着型イメージセンサ６７によって原稿内容を読み取る（Ｓ１０６）。そして、前述のスキュー量がゼロでなかった場合は、読取結果としての画像を適宜回転処理することで、スキューを補正する（Ｓ１０７，Ｓ１０８）。最後に読取原稿を排紙トレイ１２へ排出して（Ｓ１０７）、原稿の読取を終了する。
【００４０】
以上の制御により、読取原稿のスキューに対し、レジストローラ５１による機械的な補正（Ｓ１０２）及び画像回転処理によるソフトウェア的な補正（Ｓ１０８）を行うことで、傾きのない良好な画像を得ることができる。また、レジストローラ５１のレジスト動作によってもスキューを補正し切れなかった読取原稿（スキュー原稿）と、原稿読取位置Ｐ１，Ｐ２で読み取られた原稿とが自動的に仕分けされ、前記スキュー原稿は排紙トレイ１２とは別のシュート部７５に排出される。従って、スキューのために再読取が必要な原稿だけがシュート部７５に排出されるので、その後の再読取作業は、シュート部７５の読取原稿を再び原稿トレイ１１に載置して操作パネルを操作するだけで良い。
【００４１】
以上に説明したように、本実施形態のコピーファクシミリ複合機１０１は、原稿トレイ１１の読取原稿を原稿搬送経路１３に沿って原稿読取位置Ｐ１，Ｐ２へ搬送し、その内容を読み取られた読取原稿を排紙トレイ１２に排出するオートドキュメントフィーダ１０７を備える。そして、前記原稿搬送経路１３には、この原稿搬送経路１３内で搬送される読取原稿のスキューを補正するレジストローラ５１と、このレジストローラ５１を通過した読取原稿のスキュー量を検出するスキューセンサ５５と、このスキューセンサ５５で検出したスキュー量が所定の値より大きい読取原稿を搬送する第２原稿搬送経路５９と、この第２原稿搬送経路５９を通過した読取原稿を排出するシュート部７５と、を備える。
【００４２】
この構成により、読取原稿のスキューを適切に補正して、原稿内容の読取を正確に行うことができ、また原稿詰まりや読取原稿の損傷を防止できる。また、スキュー量が一定値より大きい読取原稿（スキュー原稿）は排紙トレイ１２とは別のシュート部７５へ排出されるので、シュート部７５を確認するだけでスキュー原稿をユーザが確実に把握でき、スキュー原稿だけの再読取を極めて簡単に行うことができる。
【００４３】
また、本実施形態において前記第２原稿搬送経路５９は、前記原稿読取位置Ｐ１，Ｐ２よりも原稿搬送方向上流側の位置で前記原稿搬送経路１３から分岐するように構成されている。
【００４４】
この構成により、スキュー原稿を、（原稿詰まりが発生し易い）原稿読取位置Ｐ１，Ｐ２を通過させずにシュート部７５へ排出することができる。従って、原稿詰まりや読取原稿の損傷を良好に防止することができる。
【００４５】
また、本実施形態において、前記シュート部７５は上方を開放させた形状に構成され、スキュー量が所定の値以上である読取原稿はこのシュート部７５に上側から投入されて縦向きに保管される。
【００４６】
この構成により、簡素でコンパクトなシュート部７５の構成を実現できる。
【００４７】
また、前記シュート部７５は、原稿トレイ１１にセットされた読取原稿の先頭位置よりも下方に配置されている。
【００４８】
この構成により、シュート部７５が上側に突出配置されないので、コンパクトなレイアウトを実現することができる。
【００４９】
また、前記スキューセンサ５５で検出したスキュー量がゼロより大きくかつ所定の値以下であるときは、当該読取原稿をスキャナユニット２１及び密着型イメージセンサ６７で読み取り（Ｓ１０６）、その読取画像を回転させる画像処理を行うように構成している（Ｓ１０８）。
【００５０】
この構成により、レジスト動作によるスキュー補正及びソフトウェア処理によるスキュー補正の両方が行われるので、原稿内容を一層正確に読み取ることができる。
【００５１】
なお、図１の構成において、例えば図４のフローチャートのように制御することもできる。図４の制御例では、まず図３のＳ１０１〜Ｓ１０４の処理と同様に、読取原稿の繰込み、レジスト動作、スキューセンサ５５によるスキュー量の検出、スキュー量と所定値との比較を行う（Ｓ２０１〜Ｓ２０４）。そして、Ｓ２０４の判断でスキュー量が所定値を上回っていた場合は、レジストローラ５１によるレジスト動作の回数を調べる（Ｓ２０５）。レジスト動作が１回目だった場合は、前記レジストローラ５１及び分離ローラ３１を逆回転駆動させて、読取原稿をレジストローラ５１より上流の位置まで逆搬送する（Ｓ２０６）。その後、Ｓ２０３の処理に戻って、レジスト動作からの一連の動作を再び行う。
【００５２】
Ｓ２０５の判断でレジスト動作が２回目以上だった場合は、ソレノイド７２を介して経路案内具５８を切り換えて、読取原稿をシュート部７５へ排出する（Ｓ２０７）。なお、Ｓ２０８〜Ｓ２１１の処理は図３のＳ１０６〜Ｓ１０９と同様であるので、説明を省略する。
【００５３】
この図４の制御では、１回目のレジスト動作後（Ｓ２０２）にスキュー量が所定の値より大きいと判断された読取原稿は、逆搬送されて（Ｓ２０６）、当該読取原稿の先頭がレジストローラ５１よりも上流の位置まで戻った時点で、レジストローラ５１や分離ローラ３１を通常の方向に駆動して読取原稿を順方向に再び搬送し、レジストローラ５１に２回目のレジスト動作を行わせて読取原稿のスキューを再補正することになる（Ｓ２０２）。更に、この再補正後の読取原稿のスキュー量を前記スキューセンサ５５で検出し（Ｓ２０３）、このスキュー量が所定の値以下である場合は（Ｓ２０４）、スキューの再補正が成功したことを意味するので、通常の読取を行う（Ｓ２０８〜Ｓ２１１）。一方、Ｓ２０４でスキュー量が所定値より大きい場合は、２回のレジスト動作でもスキューを補正し切れなかったことを意味するので、読取原稿を第２原稿搬送経路５９に沿ってシュート部７５へ排出するのである（Ｓ２０５，Ｓ２０７）。
【００５４】
以上に示すように、図４の制御例では、前記スキューセンサ５５で検出したスキュー量が所定の値より大きいときは、読取原稿をレジストローラ５１より上流の位置まで逆搬送した後、読取原稿を順方向に搬送してレジストローラ５１により読取原稿のスキューを再補正する。そして、スキューを再補正した後の読取原稿のスキュー量を前記スキューセンサ５５で検出し、検出されたスキュー量が所定の値以上であるときは、当該読取原稿を第２原稿搬送経路５９に沿ってシュート部７５へ排出する。
【００５５】
この構成により、１回目のレジスト動作でスキューを補正し切れない場合、２回目のレジスト動作を行うことができる。従って、スキューの補正可能範囲を拡大できるので、原稿を読み取り直す手間を軽減でき、利便性を向上させることができる。
【００５６】
以上に本発明の実施形態を説明したが、上記の構成は例えば以下のように変更することができる。
【００５７】
図１の構成の第２原稿搬送経路５９は、上記の構成とすることに限定されない。例えば第２原稿搬送経路を、分岐部５７から上方へ湾曲させつつ反転させ、レジストローラ５１、分離ローラ３１、及びピックアップローラ３２の上方を迂回させて原稿トレイ１１側へ接続させるように構成することができる。この場合、シュート部７５を省略できるとともに、スキュー原稿を原稿トレイ１１まで自動的に戻すことで再読取作業が一層容易になる。
【００５８】
図４の制御では２回のレジスト動作で補正し切れなかった読取原稿をシュート部７５へ排出するが、例えば、１枚の読取原稿につき３回以上のレジスト動作を行わせるように構成しても良い。
【００５９】
また、レジストローラ５１の下流にスキューセンサ５５を設けることに代えて、図５に示すように、レジストローラ５１の上流かつピックアップ部（分離ローラ３１及びピックアップローラ３２）より下流の位置に、スキューセンサ５６を設けることができる。また、図５の構成に示すように、図１の構成の第２原稿搬送経路５９や経路案内具５８を省略することができる。
【００６０】
この図５の構成においては、例えば図６の制御を行うことが考えられる。即ち、読取原稿の繰込みを行った後（Ｓ３０１）、スキューセンサ５６によってスキュー量を検出し（Ｓ３０２）、このスキュー量と所定値とを比較する（Ｓ３０３）。そして、スキュー量が所定値を上回っていた場合のみ、レジストローラ５１によるレジスト動作を行う（Ｓ３０４）。そして、原稿内容を原稿読取位置Ｐ１，Ｐ２で読み取った後（Ｓ３０５）、スキュー量に応じて画像を回転させる処理を適宜行い（Ｓ３０６）、読取原稿を排紙トレイ１２へ排出する（Ｓ３０７）。
【００６１】
上記の構成では、レジストローラ５１を必要なときだけ動作させることができるので、レジスト動作の動作音を少なくして静粛性を向上できる。また、読取原稿の先頭をレジストローラ５１によって停止させる動作を少なくできるので、読取原稿を素早く搬送して読取効率を向上できる。
【００６２】
なお、図５及び図６で説明した上記の構成から、少なくとも以下の技術思想を把握することができる。即ち、
原稿供給部の読取原稿を原稿搬送経路に沿って原稿読取位置へ搬送し、その内容を読み取られた読取原稿を原稿排出部に排出する自動原稿送り装置を備える画像読取装置において、
前記原稿搬送経路には、
当該原稿搬送経路を搬送される読取原稿のスキューを補正するレジスト機構と、
このレジスト機構を通過する前の読取原稿のスキュー量を検出するスキューセンサと、
を備え、
前記スキューセンサで検出したスキュー量が所定の値より大きいときは、当該読取原稿のスキューを前記レジスト機構によって補正し、
前記スキューセンサで検出したスキュー量が所定の値以下であるときは、前記レジスト機構を動作させずに当該読取原稿を画像読取部で読み取るとともに、その読取画像を回転させる画像処理を行うことを特徴とする画像読取装置。
【００６３】
上記によれば、スキュー量の小さい原稿に対してはレジスト動作を行わないので、レジスト動作を少なくできる。従って、静粛性を向上できるとともに、高速読取に好適な構成とすることができる。
【００６４】
図１や図５の構成は原稿の表裏両面を読取可能に構成しているが、例えば密着型イメージセンサ６７を省略して、片面読取型の画像読取装置に変更することができる。また、レジストローラ５１を用いたレジスト機構に限らず、例えば係止具等を用いたものに変更することができる。
【００６５】
上記の実施形態の構成は、コピーファクシミリ複合機１０１に限らず、例えばコピー機、イメージスキャナ等に適用することができる。
【図面の簡単な説明】
【００６６】
【図１】本発明の一実施形態に係るコピーファクシミリ複合機の画像読取部を示す正面断面図。
【図２】画像読取部の電気的構成を示すブロック図。
【図３】読取原稿のスキュー補正の制御例を示すフローチャート図。
【図４】スキュー補正制御の他の制御例を示すフローチャート図。
【図５】コピーファクシミリ複合機の画像読取部の変形例を示す正面断面図。
【図６】図５の構成における読取原稿のスキュー補正制御例を示すフローチャート図。
【符号の説明】
【００６７】
１１  原稿トレイ（原稿供給部）
１２  排紙トレイ（原稿排出部）
１３  原稿搬送経路
５１  レジストローラ（レジスト機構の一部）
５５  スキューセンサ
５９  第２原稿搬送経路
７５  シュート部（第２排出部）
１０１  コピーファクシミリ複合機（画像読取装置）
１０７  オートドキュメントフィーダ（自動原稿送り装置）
Ｐ１，Ｐ２  原稿読取位置
【図１】
2008131077.tif 000003
【図２】
2008131077.tif 000004
【図３】
2008131077.tif 000005
【図４】
2008131077.tif 000006
【図５】
2008131077.tif 000007
【図６】
2008131077.tif 000008